(57)【特許請求の範囲】
【請求項１】
所定の内線電話機から受信した送話音声信号から所定の内線電話機から受信した周囲雑音信号成分をキャンセルして、通話の相手先に送話音声信号を送信する電話制御装置に接続される内線電話機であって、
前記電話制御装置から周囲音の送信要求を受信する周囲音送信要求受信手段と、自電話機の使用状態を判定する電話機状態判定手段と、自電話機の送話器で入力した周囲音を前記電話制御装置に送信する音声信号送信手段とを有し、
前記周囲音送信要求受信手段が、前記電話制御装置から周囲音の送信要求を受信した場合に、前記電話機状態判定手段が自電話機の状態が使用中以外であると判断したならば、前記音声信号送信手段に指示して、自電話機の送話器で入力した自電話機の周囲音を電話制御装置に送信することを特徴とする周囲音送信機能を有する内線電話機。
【発明の詳細な説明】
【技術分野】
【０００１】
本発明は、周囲雑音をキャンセルする機能を有する電話制御装置に関する。
【背景技術】
【０００２】
従来の周囲雑音をキャンセルする機能を有する電話装置では、自電話機にハンズフリー通話用のマイクと、送話器及び受話器からなるハンドセットと、周囲雑音をキャンセルする雑音抑制回路とを搭載し、前記雑音抑制回路によって、前記送話器が入力した送話音声信号から前記ハンズフリー通話用のマイクが集音した周囲雑音成分をキャンセルして、相手装置に送信する方法が知られていた。
【０００３】
このことは特許文献１における「雑音収音用マイクロホン」と「雑音除去回路部」、また特許文献２における「ハンズフリーマイク」と「信号処理部」として、電話機側に内蔵された機能部によって周囲雑音をキャンセルする実現構成が示されている。
【先行技術文献】
【特許文献】
【０００４】
【特許文献１】特開平９−２８４３７４号公報
【０００５】
【特許文献２】特開２０１０−１６５１６号公報
【発明の概要】
【発明が解決しようとする課題】
【０００６】
しかし、これら従来の電話装置では、電話機側に周囲雑音を集音するためのマイクに加え、雑音抑制回路を搭載する必要があったため、電話機のコストがアップする欠点があった。
【０００７】
そこで、本発明の課題は、複数の内線電話機を収容するボタン電話システムや構内交換装置の電話制御装置に、周囲雑音を抑制する雑音抑制回路を搭載することにより、内線電話機個々のコストアップを抑えることにある。
【課題を解決するための手段】
【０００８】
上記課題を解決するために、第１の本発明は、外線および内線を収容し、前記内線に接続された複数の内線電話機を制御する電話制御装置であって、前記複数の内線電話機の内の通話中ではないいずれかの内線電話機を選択し、前記選択された内線電話機が備える音声入力手段を起動し、前記音声入力手段が集音した周囲音声を周囲雑音信号として当該内線電話機から受信する周囲雑音信号受信手段と、前記周囲雑音信号受信手段が受信した周囲雑音信号の振幅または位相を調整して、通話中の内線電話機から受信した送話音声信号から、前記周囲雑音信号の成分をキャンセルする周囲雑音キャンセル手段と、を有し、前記周囲雑音信号の成分がキャンセルされた送話音声信号を当該通話中の内線電話機の通信相手へ送信することを特徴とする。
【発明の効果】
【０００９】
本発明によれば、通話中ではない内線電話機の送話器を利用して周囲雑音信号を集音し、また電話制御装置側に搭載した雑音抑制回路によって該周囲雑音信号の成分をキャンセルするため、個々の内線電話機に雑音抑制回路を搭載する必要がなく、周囲雑音キャンセル機能を有する電話システム全体のコストを抑制できる効果がある。
【図面の簡単な説明】
【００１０】
【図１】本発明による周囲雑音キャンセル機能を有する電話制御装置と内線電話機のブロック構成図
【図２】本発明による電話制御装置の制御部の動作フローチャート
【図３】内線電話機の制御部における周囲雑音信号の送信動作フローチャート
【図４】本発明による電話制御装置の端末設置場所／状態記憶部の内容例
【発明を実施するための形態】
【００１１】
以下、図面を用いて本発明の実施例を説明する。
【００１２】
図１は、本発明による周囲雑音キャンセル機能を有する電話制御装置と内線電話機のブロック構成を示す図で、電話制御装置５は、内線インタフェース部５２１〜５２４を介して複数の内線電話機１〜４と接続され、また外線インタフェース部５３１を介して電話網６に接続されている。
【００１３】
内線電話機１〜４は、接続する相手先を指定するダイヤルキーや通話中や待機中の電話機状態を検出するキー／フックスイッチ状態検知部１１３、２１３、３１３、４１３を有し、これらのキー押下やフックスイッチの状態変化を制御部１１２、２１２、３１２、４１２で検知し、回線インタフェース部１１１、２１１、３１１、４１１を介して電話制御装置５の制御部５１２に送る。制御部５１２では、検知されたダイヤルキー情報に基づき指定された相手先を呼出す呼制御と、検知されたフックスイッチ状態に応じて通話中（オフフック状態）／待機中（オンフック状態）等の電話機状態管理を行う。また電話機状態が変化する毎に、端末設置場所／状態記憶部５１３内の該当する内線電話機の状態情報を更新する。
【００１４】
内線電話機１は、相手先と通話状態にあるとき、使用者が発声した送話音声Ｖ１を、ハンドセット１０１内の送話器１０３で入力し、送話音声送信部１１５と回線インタフェース部１１１を介して、電話制御装置５の通話路スイッチ５１１に送る。また通話路スイッチ５１１から回線インタフェース部１１１を介して相手先からの受話音声信号を受話音声再生部１１４で受信し、ハンドセット１０１内の受話器１０２から出力する。
【００１５】
このとき、送話器１０３には送話音声Ｖ１以外に周囲雑音Ｎ１も同時に入力されてしまうため、実際には、「送話音声Ｖ１＋周囲雑音Ｎ１」が相手先に向けた音声信号として電話制御装置５に入力される。
【００１６】
次に、通話の相手先となる内線電話機４は、電話制御装置５と回線インタフェース部４１１を介して接続され、通話路スイッチ５１１を介して送られた内線電話機１の送話音声信号を受話音声再生部４１４で受信し、ハンドセット４０１内の受話器４０２から出力する。またハンドセット４０１内の送話器４０３で入力した音声信号は、送話音声送信部４１５と回線インタフェース４１１を介して、電話制御装置５の通話路スイッチ５１１に送られ、内線電話機１に中継される。
【００１７】
このとき電話制御装置５の制御部５１２は、内線電話機１と相手先（ここでは内線電話機４）とが通話中状態になったとき、端末設置場所／状態記憶部５１３に記憶された情報から内線電話機１の近傍に設置された内線電話機を検索し、その内の通話中ではない内線電話機２と内線電話機３とを選択し、選択された内線電話機２および内線電話機３に対して、周囲雑音信号を集音し電話制御装置に対して送信するよう指示する。この周囲雑音送信要求を受信した内線電話機２および内線電話機３の制御部２１２、３１２は、送話器２０３、３０３や送話音声送信部２１５、３１５を有効にして、送話器が入力した周囲雑音信号Ｎ１を電話制御装置５に送信する。
【００１８】
次に、電話制御装置５は、通話路スイッチ５１１を制御して、内線電話機１から受信した送話音声信号を雑音成分キャンセル部５１５に入力し、また内線電話機２から受信した周囲雑音信号を雑音成分加工部Ａ５１６に、また内線電話機３から受信した周囲雑音信号を雑音成分加工部Ｂ５１７に接続する。
【００１９】
雑音成分加工部Ａ及び雑音成分加工部Ｂでは、入力された周囲雑音信号の振幅または位相を調整し、雑音成分キャンセル部５１５に送る。
【００２０】
雑音成分キャンセル部５１５では、所定の演算処理を行い、内線電話機１から受信した送話音声信号（Ｖ１＋Ｎ１）から、雑音成分加工部Ａおよび雑音成分加工部Ｂから送られた信号に共通に存在する音声信号成分を周囲雑音Ｎ１とみなし、この周囲雑音Ｎ１を差し引いた受話音声Ｖ２を生成し、相手先（ここでは内線電話機４）に送信する。
【００２１】
これにより、相手先の内線電話機４では、内線電話機１が入力した送話音声信号成分（Ｖ１＋Ｎ１）から周囲雑音Ｎ１がキャンセルされたクリアな受話音声Ｖ２を受聴することができる。
【００２２】
尚、本実施例では、周囲雑音の集音を行う内線電話機を２台として説明しているが、雑音キャンセル機能を実現するには、１台以上であればよい。
【００２３】
また１台の内線電話機において、ハンドセット内の送話器を周囲雑音信号の入力用として兼用しているが、ハンズフリー通話用のマイクを周囲雑音信号の集音用として利用することもできる。
【００２４】
また本実施例では、通話の相手先を内線電話機として説明しているが、外線インタフェース部５３１と電話網６を介して繋がる外部の電話端末でもよい。
【００２５】
図２は、本発明による電話制御装置の制御部の動作フローで、
本実施例では、図１の内線電話機１が発信し、内線電話機４を呼出し、内線電話機１の送話音声信号に含まれる雑音成分が、内線電話機１の近傍に設置された待機中状態の内線電話機２及び内線電話機３から受信する送話音声信号に相当するものとみなして、これを内線電話機１から受信した送話音声信号から差し引くことにより周囲雑音をキャンセルして、相手先（ここでは内線電話機４）に対する受話音声信号として送出するものとして説明する。
【００２６】
待機状態（Ｓ５０００）において、内線電話機１がオフフックしたことを検知すると（Ｓ５００１，Ｙ）、該当する端末設置場所／状態記憶部５１３の電話機状態をオフフック状態に更新し（Ｓ５０１０）、ダイヤルキーの押下を待ち、ダイヤルキーの押下終了を検知すると（Ｓ５０１１，Ｙ）、指定された相手先（内線電話機４）を呼出し（Ｓ５０１２）、相手先が応答すると（Ｓ５０１３，Ｙ）、通話路スイッチ５１１に指示して、内線電話機１と内線電話機４の通話路を接続する（Ｓ５０４１）。このとき内線電話機１からの送話音声信号は、図１の雑音成分キャンセル部５１５を経由して相手先に中継される。
【００２７】
次に、端末設置場所／状態記憶部５１３を検索し、内線電話機１の近傍に設置され、かつ電話機状態がオンフック状態にある（通話中ではない）内線電話機（ここでは内線電話機２と内線電話機３）を抽出する（Ｓ５０４２）。
【００２８】
制御部５１２は、抽出した内線電話機に対して周囲雑音信号の送出要求を送信し（Ｓ５０４３）、該当する内線電話機からの送話音声信号（周囲雑音信号）を、雑音成分加工部（５１６、５１７）に接続するよう通話路スイッチを制御する（Ｓ５０４４）。
【００２９】
これにより、雑音成分加工部が内線電話機１の近傍に設置された内線電話機２及び内線電話機３から受信した周囲雑音信号成分の振幅または位相を調整して雑音成分キャンセル部５１５に送ることにより、雑音成分キャンセル部５１５では所定の演算処理を行い、内線電話機１から入力された送話音声信号（Ｖ１＋Ｎ１）の中から周囲雑音Ｎ１のみをキャンセルして、相手先の内線電話機４に送出する。
【００３０】
次に、内線電話機１がオンフックしたことを検知すると（Ｓ５０４５，Ｙ）、該当する端末設置場所／状態記憶部の電話機状態をオンフック状態に更新した後（Ｓ５０５０）、周囲雑音信号を送信していた内線電話機に対して、周囲雑音信号の送出停止を指示し（Ｓ５０６１）、通話路スイッチに指示して、各内線電話機の通話路を解放して（Ｓ５０６２）、待機状態（Ｓ５０００）に戻る。
【００３１】
尚、ステップ５００１において、オフフック状態を検知せず（Ｓ５００１，Ｎ）、着信を検知した場合は（Ｓ５００２，Ｙ）、該当する内線電話機を呼出し（Ｓ５０２１）、該当する内線電話機がオフフック（応答）したことを検知すると（Ｓ５０２２，Ｙ）、該当する端末設置場所／状態記憶部の電話機状態をオフフック状態に更新した後（Ｓ５０３０）、ステップ５０４１以降の処理に移行し、同様に周囲雑音信号成分をキャンセルした通話が行われる。
【００３２】
図３は、内線電話機の制御部における周囲雑音信号の送信動作フローで、待機状態（Ｓ２０００）において、電話制御装置５の制御部５１２からの周囲雑音信号の送出要求を受信すると（Ｓ２００１，Ｙ）、自電話機がオンフック状態にある（通話中）か否かを判断する（Ｓ２００２）。オンフック状態にある（通話中ではない）とき（Ｓ２００２，Ｙ）、送話音声送信部を有効にして送話器が入力した周囲雑音信号を電話制御装置側に送出する（Ｓ２０１１）。
【００３３】
尚、ステップ２００２において、オフフック状態（通話中）であった場合には（Ｓ２００２，Ｎ）、そのまま待機状態（Ｓ２０００）に戻る。
【００３４】
次に、電話制御装置５の制御部５１２から周囲雑音信号の送出停止要求を受信すると（Ｓ２０２１，Ｙ）、送話音声送信部を無効にして電話制御装置側に対する周囲雑音信号の送出を中止し（Ｓ２０２２）、待機状態（Ｓ２０００）に戻る。
【００３５】
図４は、本発明による電話制御装置の端末設置場所／状態記憶部の内容例を示す図で、本記憶部は、内線番号毎に、電話機の設置場所情報と電話機状態を対応付けて記憶するメモリであり、図２の処理（Ｓ５０１０、Ｓ５０３０、Ｓ５０５０）において、該当電話機のオフフック／オンフックを検知した際に、該当する電話機状態を更新する。
【００３６】
また本実施例では、内線番号１０１の内線電話機が通話中状態にあるとき、同じ設置場所（Ａ５）に属する複数の内線電話機の内の通話中ではない（オンフック状態）にある内線番号１０３（Ｖ５００３）と内線番号２０２（Ｖ５００５）が周囲雑音の集音用内線電話機として選択される。
【符号の説明】
【００３７】
１；通話中の内線電話機
２，３；近傍の通話中ではない内線電話機
４；通話の相手先端末（内線電話機）
５；本発明による電話制御装置
６；電話網
１０１，２０１，３０１，４０１；ハンドセット
１０２，２０２，３０２，４０２；受話器
１０３，２０３，３０３，４０３；送話器
１１１，２１１，３１１，４１１；回線インタフェース部
１１２，２１２，３１２，４１２；制御部
１１３，２１３，３１３，４１３；キー／フックスイッチ状態検知部
１１４，２１４，３１４，４１４；受話音声再生部
１１５，２１５，３１５，４１５；送話音声送信部
５１１；通話路スイッチ
５１２；制御部
５１３；端末設置場所／状態記憶部
５１５；雑音成分キャンセル部
５１６；雑音成分加工部Ａ
５１７；雑音成分加工部Ｂ
５２１〜５２４；内線インタフェース部
５３１；外線インタフェース部
Ｖ１；送話音声
Ｖ２；受話音声
Ｎ１；周囲雑音
Ｖ５００１〜Ｖ５００８；内線電話機毎の設置場所情報と電話機状態
【図１】
0005641378.tif 000002
【図２】
0005641378.tif 000003
【図３】
0005641378.tif 000004
【図４】
0005641378.tif 000005